(57)【要約】      （修正有）【課題】枝等や支柱等を連繋できることはもちろん、シート状物の固定等にも用いることのできるクリップを提供する。【解決手段】クリップ１０は、先端側に挟持部、基端側に指掛かり部を有し、前記挟持部と前記指掛かり部の間に設けられた開閉支点２７、３７により開閉自在に連繋してなる一対のクリップ部材２０、３０と、前記挟持部どうしを接近する方向に付勢する付勢手段４０と、を具えたクリップであって、前記挟持部の先端には、前記挟持部どうしが接近した状態で当接する滑り止め部２２、３２が形成されている。【選択図】図１３
0003224332.tif 000002
【実用新案登録請求の範囲】
【請求項１】
先端側に挟持部、基端側に指掛かり部を有し、前記挟持部と前記指掛かり部の間に設けられた開閉支点により開閉自在に連繋してなる一対のクリップ部材と、
前記挟持部どうしを接近する方向に付勢する付勢手段と、
を具えたクリップであって、
前記挟持部の先端には、前記挟持部どうしが接近した状態で当接する滑り止め部が形成されている、
ことを特徴とするクリップ。
【請求項２】
前記滑り止め部は、接近状態で噛合する1又は複数の凹凸が１又は複数列形成されている、
請求項１に記載のクリップ。
【請求項３】
前記滑り止め部は、前記挟持部の先端に装着され、滑り止め効果を具備する環状の滑り止め部材である、
請求項１に記載のクリップ。
【請求項４】
前記付勢手段は、コイル部から一対のアーム部が延びるトーションばねであって、前記コイル部が前記開閉支点の近傍に位置し、前記アーム部は夫々前記指掛かり部を付勢するものであり、
前記コイル部には、索体が連繋されており、前記索体を引っ張ることで、前記アーム部が前記指掛かり部を押し、付勢力が高まる、
請求項１乃至請求項３の何れかに記載のクリップ。
【請求項５】
前記挟持部は、前記滑り止め部と前記開閉支点との間には前記挟持部どうしが接近した状態で当接する当り片が内向きに突設されており、前記当り片よりも先端側に第１凹み、前記当り片よりも基端側に第２凹みが形成されている、
請求項１乃至請求項４の何れかに記載のクリップ。
【請求項６】
前記第１凹み及び／又は前記第２凹みの底面には凹凸が形成されている、
請求項５に記載のクリップ。
【考案の詳細な説明】
【技術分野】
【０００１】
本考案は、支柱やネット、紐などに取り付けられ、植物の枝を誘引する園芸用クリップ、茶畑や畑などで使用される遮光シート、キャンプ用のターフやレジャーシートの如きシート状物を挟む、或いは、シート状物を支柱や枝などに固定することのできる園芸やレジャー用クリップなどのクリップに関するものである。
【背景技術】
【０００２】
植物の枝や蔓（以下「枝等」という）を支柱やネット、紐（以下「支柱等」と称する）などに誘引するための種々の園芸用クリップがある。たとえば、特許文献１の園芸用クリップは、一対のピンチ本体部材を略中央の結合突部で開閉可能に連繋し、先端の挟持部が当接する方向にバネ付勢している。挟持部は、当接状態で支柱等が挟まる小さな挟持凹部を有しており、挟持部と結合突部との間には、枝等が挿通する保持空間部が形成されている。保持空間部は、枝等が余裕を持って嵌まる大きさに形成され、園芸用クリップの基端側の把持部を摘んで挟持部を開き、保持空間部に枝等を挿入し、挟持凹部で支柱等を挟むことにより、枝等を誘引する。
【先行技術文献】
【特許文献】
【０００３】
【特許文献１】実用新案登録第３１４２８２１号
【考案の概要】
【考案が解決しようとする課題】
【０００４】
挟持部に形成された挟持凹部は、その径よりも細い支柱等は遊びが大きくなるから挟んでも支柱等に固定できず、また、支柱等の径が挟持凹部よりも太くなると、挟持凹部に支柱等が嵌らず、支柱等への固定が不十分になる虞がある。
【０００５】
また、上記クリップは、枝等と支柱等との連繋に用いることができる。しかしながら、遮光シート、ターフ、レジャーシートの如きシート状物を挟んで固定するには適しておらず、用途が限定されてしまい、汎用性に欠く問題がある。
【０００６】
本考案の目的は、枝等や支柱等を連繋できることはもちろん、シート状物の固定等にも用いることのできるクリップを提供することである。
【課題を解決するための手段】
【０００７】
上記課題を解決するために、本考案に係るクリップは、
先端側に挟持部、基端側に指掛かり部を有し、前記挟持部と前記指掛かり部の間に設けられた開閉支点により開閉自在に連繋してなる一対のクリップ部材と、
前記挟持部どうしを接近する方向に付勢する付勢手段と、
を具えたクリップであって、
前記挟持部の先端には、前記挟持部どうしが接近した状態で当接する滑り止め部が形成されている。
【０００８】
前記滑り止め部は、接近状態で噛合する1又は複数の凹凸が１又は複数列形成されている構成とすることができる。
【０００９】
前記滑り止め部は、前記挟持部の先端に装着され、滑り止め効果を具備する環状の滑り止め部材とすることができる。
【００１０】
前記付勢手段は、コイル部から一対のアーム部が延びるトーションばねであって、前記コイル部が前記開閉支点の近傍に位置し、前記アーム部は夫々前記指掛かり部を付勢するものであり、
前記コイル部には、索体が連繋されており、前記索体を引っ張ることで、前記アーム部が前記指掛かり部を押し、付勢力が高まる構成とすることが望ましい。
【００１１】
前記挟持部は、前記滑り止め部と前記開閉支点との間には前記挟持部どうしが接近した状態で当接する当り片が内向きに突設されており、前記当り片よりも先端側に第１凹み、前記当り片よりも基端側に第２凹みが形成されている構成とすることができる。
【００１２】
前記第１凹み及び／又は前記第２凹みの底面には凹凸が形成されていることが望ましい。
【考案の効果】
【００１３】
本考案のクリップによれば、滑り止め部が互いに当接することで、挟み込んだ物の保持力を可及的に高めることができる。
【００１４】
また、付勢手段をトーションばねとし、コイル部に索体を連繋した構成とすることで、索体を引っ張ることにより、アーム部が広がり、指掛かり部を押し広げることで、付勢力を高め、クリップの保持力をさらに高めることができる。従って、たとえば、シート状物を滑り止め部に挟んだ状態で、索体を柱、紐、ピンなどに結んでおくことで、風等の影響によりシート状物がなびいたときに、シート状物がクリップを引っ張る。このとき、クリップが引っ張られることで索体も引っ張られて上記のとおりクリップの保持力が高められるから、シート状物の外れも抑制できる。従って、遮光シート、ターフ、レジャーシートの如きシート状物を連繋する園芸、レジャー用のクリップとして好適である。
【００１５】
さらに、挟持部に当り片を設け、挟持部の先端側に第１凹み、基端側に第２凹みを形成したことで、第１凹みにはたとえば枝等、第２凹みにはたとえば支柱等を通して、園芸用のクリップとして用いることができる。第１凹み及び／又は第２凹みの底面に凹凸を形成することで、滑り止め効果を発揮できる利点もある。
【図面の簡単な説明】
【００１６】
【図１】図１は、本考案の一実施形態に係るクリップの閉じ状態の正面図である。
【図２】図２は、本考案の一実施形態に係るクリップの開き状態の正面図である。
【図３】図３は、閉じ状態のクリップの縦断面図である。
【図４】図４は、第１クリップ部材を内側から見た斜視図である。
【図５】図５は、第２クリップ部材を内側から見た斜視図である。
【図６】図６は、第１クリップ部材を内側から見た側面図である。
【図７】図７は、図７の線Ａ−Ａに沿う断面図である。
【図８】図８は、図６の線Ｂ−Ｂに沿う断面図である。
【図９】図９は、第２クリップ部材を内側から見た側面図である。
【図１０】図１０は、図９の線Ｃ−Ｃに沿う断面図である。
【図１１】図１１は、図９の線Ｄ−Ｄに沿う断面図である。
【図１２】図１２は、クリップで物体を挟んだ状態を示す断面図であり、図１２（ａ）はシート状物を挟んだ状態、図１２（ｂ）は枝等及び支柱等を挟んだ状態を示す。
【図１３】図１３は、索体が引っ張られた状態を示すクリップの断面図である。
【図１４】図１４は、物体を挟んだ状態のクリップ部材を内側から見た説明図であり、挟まれた物体が斜めになった状態を示す図である。
【考案を実施するための形態】
【００１７】
以下、本考案の一実施形態に係るクリップ１０について、図面を参照しながら説明を行なう。なお、一般的なクリップや洗濯ばさみで知られる構成については、適宜その詳細な説明や構造は省略する。
【００１８】
図１乃至図３は、本考案のクリップ１０（ピンチ）を示している。図１は、クリップ１０を閉じた状態、図２は、クリップ１０を開いた状態、また、図３は、図１の縦断面図である。また、図４及び図５にクリップ１０を構成するクリップ部材２０，３０の斜視図、図６乃至図１１にクリップ部材２０，３０の側面図、断面図を示している。
【００１９】
図に示すように、クリップ１０は、一対のクリップ部材２０，３０を略中央の開閉可能に連繋して構成される。クリップ部材２０，３０は、対称形状のものを採用することができるが、本実施形態では、クリップ部材２０，３０は若干形状を変えている。以下、図１乃至図３において左側に位置するクリップ部材２０を適宜第１クリップ部材、右側に位置するクリップ部材３０を適宜第２クリップ部材と称する。
【００２０】
クリップ部材２０，３０は、合成樹脂により形成することができ、先端に枝等、支柱等、或いは、シート状物５１の物体を挟む挟持部２１，３１が形成されており、基端に指で摘まむ指掛かり部２８，３８を有する。挟持部２１，３１と指掛かり部２８，３８と間には、クリップ部材２０，３０どうしを連繋する開閉支点２７，３７が形成されている。
【００２１】
そして、クリップ部材２０，３０どうしは、バネ等の付勢手段、図示ではトーションばね４０により挟持部２１，３１どうしが接近する方向に付勢されている。トーションばね４０は、図３に示すように、コイル部４１とコイル部４１から延びるアーム部４２ａ，４２ｂを有し、コイル部４１は開閉支点２７，３７の近傍に配置され、アーム部４２ａ，４２ｂは夫々指掛かり部２８，３８の内側に沿って配置されている。コイル部４１には、クリップ１０を柱、紐、ピンなどの締結部材に繋ぐ索体４３が連繋されている。一方のアーム部４２ｂの先端は、クリップ部材３０から内向きに突設されたばね止め３９に当接している。
【００２２】
クリップ部材２０，３０の形状についてさらに詳細に説明する。クリップ部材２０，３０は、挟持部２１，３１の先端に滑り止め部２２，３２が形成されている。滑り止め部２２，３２は、図４及び図５等に示すように、１又は複数の凹凸２２ａ，３２ａとすることができ、図１等に示すように、他方の凹凸２２ａ，３２ａに対して噛合する形状とすることが望ましい。滑り止め効果を高めるために、凹凸２２ａ，３２ａは、図４及び図５等に示すように高さを変えて複数の列２２ｂ，３２ｂに形成し、第１クリップ部材２０の凹凸列２２ｂ、３２ｂに第２クリップ部材３０の凹凸列２２ｂ，３２ｂが侵入するよう形成することが望ましい。なお、滑り止め部２２，３２として、凹凸２２ａ，３２ａに代えて、環状のゴムやＴＰＥ（熱可塑性エラストマー）、ＰＶＣ（ポリ塩化ビニル）などの滑り止め効果を有する筒状の部材を挟持部２１，３１の先端に装着しても構わない。
【００２３】
そして、滑り止め部２２，３２は、シート状物５１などをクリップ１０で挟持する際に、シート状物５１を挟んで保持する（後述する図１２（ａ）参照）。
【００２４】
クリップ部材２０，３０の挟持部２１，３１には、滑り止め部２２，３２よりも基端側、すなわち、滑り止め部２２，３２と開閉支点２７，３７との間には、図３乃至図５に示すように、挟持部２１，３１どうしが接近した状態で当接或いは極めて接近する当り片２３，３３（図６乃至図１１も参照）が内向きに形成突設されている。当り片２３，３３の先端にも滑り止めのための凹凸を形成することができる。当り片２３，３３は、シート状物５１などをクリップ１０で挟持する際に、滑り止め部２２，３２と共にシート状物５１を挟んで保持する（後述する図１２（ｂ）参照）。
【００２５】
枝等、支柱等を押し潰すことなく挟んで保持できるよう、クリップ部材２０，３０は、当り片２３，３３と滑り止め部２２，３２との間に第１凹み２４，３４、当り片２３，３３と開閉支点２７，３７との間に第２凹み２５，３５が形成されている。第１凹み２４，３４は、枝等（図１２（ｂ）参照）を保持できるよう、若干幅広に形成されており、第２凹み２５，３５は、支柱等５３（同図）を好適に保持できるよう、幅狭に形成している。何れの凹み２４，３４，２５，３５にも、滑り止め効果を具備するために、図４及び図５等に示すように、底面に凹凸を形成することが望ましい。
【００２６】
開閉支点２７，３７は、クリップ部材２０，３０どうしを開閉可能に連繋する支点であり、本実施形態では、図３、図６乃至図８に示すように、第１クリップ部材２０の両側面から内向きに一対の第１フランジ２７ａ，２７ａを突設し、これら第１フランジ２７ａ，２７ａに対向方向に対して突出した軸状部２７ｂ，２７ｂを設けている。また、第２クリップ部材３０は、図４、図９乃至図１１に示すように、３枚のフランジ３７ａ，３７ｃ，３７ｃを突設している。中央に形成された第２中央フランジ３７ａは、図１０及び図１１に示すように、軸状部２７ｂ，２７ｂが嵌まる軸孔３７ｂが形成されている。両側の第２側方フランジ３７ｃ，３７ｃは、第２中央フランジ３７ａとの間に第１フランジ２７ａが挿入され、第１フランジ２７ａの開きを防止して、軸状部２７ｂが軸孔３７ｂから抜けないようにしている。
【００２７】
また、開閉支点２７，３７よりも基端側には、ユーザーがクリップ１０を開閉する際に指で摘まむ指掛かり部２８，３８が形成されている。本実施形態では、図１等に示すように、第１クリップ部材２０の指掛かり部２８を第２クリップ部材３０の指掛かり部３８よりも長く形成しており、ユーザーが摘まむ際に、第１クリップ部材２０の指掛かり部２８に人差し指と中指、第２クリップ部材３０の指掛かり部３８を当てることで、クリップ１０を容易に開閉できるようにしている。
【００２８】
然して、第１クリップ部材２０と第２クリップ部材３０は、第１クリップ部材２０の第１フランジ２７ａを、第２クリップ部材３０の第２中央フランジ３７ａと第２側方フランジ３７ｃの間に挿入させ、軸状部２７ｂを軸孔３７ｂに侵入させることで一体化される。そして、コイル部４１に索体４３が連繋されたトーションばね４０（付勢手段）は、図３に示すように、コイル部４１が開閉支点２７，３７の近傍に位置し、アーム部４２ａ，４２ｂが指掛かり部２８，３８の内面に沿い、アーム部４２ｂの先端がばね止め３９に当接するように配置され、クリップ１０が作製される。
【００２９】
得られたクリップ１０は、挟持部２１，３１が接近し、先端の滑り止め部２２，３２どうしが当接するようトーションばね４０により付勢されており、指掛かり部２８，３８を指で摘まむことで、図３に示すように、開閉支点２７，３７（すなわち、軸状部２７ｂと軸孔３７ｂ）を中心として、挟持部２１，３１、滑り止め部２２，３２が離間するよう開く。これにより、物体を挟持或いは挟持状態にある物体の開放を行なうことができる。
【００３０】
なお、クリップ１０は、第１フランジ２７ａ，２７ａが、第２中央フランジ３７ａと第２側方フランジ３７ｃに挟まれているから、ひねり方向の力が加わっても、フランジ２７ａ，３７ａ，３７ｃの曲がりや開きを防止することができ、クリップ１０の分解を阻止できる。
【００３１】
図１２（ａ）は、クリップ１０でシート状物５１を挟んだ状態を示す断面図である。シート状物５１として、茶畑や畑などで使用される遮光シート、キャンプ用のターフやレジャーシートなどを挙げることができるが、これに限定されるものではない。そして、本考案では、挟持部２１，３１の先端に滑り止め部２２，３２を形成したことで、滑り止め部２２，３２でシート状物５１を挟んだときに、挟まれたシート状物５１は容易に外れることはない。また、滑り止め部２２，３２だけでなく当り片２３，３３によってもシート状物５１は挟むことができるから、保持力をさらに高めることができる。
【００３２】
図１２（ｂ）は、枝等５２、支柱等５３をクリップ１０で挟んだ状態を示す断面図である。図に示すように、第１凹み２４，３４間に枝等５２、第２凹み２５，３５間に支柱等５３を挿入することで枝等５２と支柱等５３を同時に保持することができる。
【００３３】
上記のように、本考案のクリップ１０は、枝等５２、支柱等５３を挟む園芸用の用途はもちろん、茶畑や畑などで使用される遮光シート、キャンプ用のターフやレジャーシートの如きシート状物５１を挟む園芸やレジャー用クリップなど、種々の物体５０を挟む幅広い用途に用いることができる。
【００３４】
本考案のクリップ１０は、付勢手段としてトーションばね４０を使用し、トーションばね４０は、アーム部４２ａ，４２ｂが開閉支点２７，３７側から基端側の指掛かり部２８，３８に向けて延び、アーム部４２ｂの先端がばね止め３９に当接するように配置すると共に、コイル部４１に索体４３を連繋した構成としている。そして、索体４３の他端を柱、紐、ピンなどに結んでおくことで、図１３に示すように、物体５０が保持されたクリップ１０は、風等の影響により物体５０が引っ張られ、或いは、物体５０が風でなびいたり、自重により垂れ下がったときに、索体４３を引っ張る。クリップ１０に対して索体４３が引っ張られる（図１３中矢印Ｅ）ことで、トーションばね４０は、コイル部４１がクリップ１０の基端側に引かれて、アーム部４２ａ，４２ｂを広げる。このとき、アーム部４２ｂの先端はばね止め３９に当接し、後退を阻止されているから、アーム部４２ａ，４２ｂにより指掛かり部２８，３８は押し広げられて（図中矢印Ｆ）、挟持部２１，３１を接近する方向（図中矢印Ｇ）に押し込まれ、挟持部２１，３１の保持力をさらに高めることができる。
【００３５】
すなわち、クリップ１０に保持された物体５０が外れそうになって索体４３が引っ張られることで、保持力が高まる構成であるから、クリップ１０から物体５０が外れることを可及的に抑制することができる。
【００３６】
なお、索体４３の先端をシート状物に括り付け、クリップ１０を枝等や支柱等に連繋するようにしてもよい。これにより、予めシート状物に索体４３により括り付けられたクリップ１０を枝等や支柱等に挟むことで、シート状物を固定することができる。また、シート状物を取り外す場合には、クリップ１０を枝等や支柱等から外すことで、クリップ１０は枝等や支柱等に残ることなく、一緒に取り去ることができ、クリップ１０の取り漏れを防止できる利点がある。
【００３７】
また、本考案のクリップ１０は、枝等５２を挟んだときに、枝等５２が図１４に示すように斜めになった状態では、枝等５２は、第１凹み２４（第２凹み３４についても同じ）の凹凸列２２ｂに丸囲み部Ｈ１で当接し、当り片２３に丸囲み部Ｈ２で当接する。このように、枝等５２が第１凹み２４に対して、Ｈ１とＨ２の２点で当接することで、てこの原理により枝等５２が引っかかり、クリップ１０が枝等５２に対して上下にずれることを可及的に防止でき、枝等５２を確実に保持することができる。枝等５２が逆向きに傾いた場合も同様である。
【００３８】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【符号の説明】
【００３９】
１０  クリップ
２０  第１クリップ部材
２１  挟持部（第１クリップ部材）
２２  滑り止め部（第１クリップ部材）
２３  当り片（第１クリップ部材）
２４  第１凹み（第１クリップ部材）
２５  第２凹み（第１クリップ部材）
２７  開閉支点（第１クリップ部材）
２８  指掛かり部（第１クリップ部材）
３０  第２クリップ部材
３１  挟持部（第２クリップ部材）
３２  滑り止め部（第２クリップ部材）
３３  当り片（第２クリップ部材）
３４  第１凹み（第２クリップ部材）
３５  第２凹み（第２クリップ部材）
３７  開閉支点（第２クリップ部材）
３８  指掛かり部（第２クリップ部材）
４０  トーションばね（付勢手段）
４１  コイル部
４２ａ，４２ｂ  アーム部
４３  索体
【図１】
0003224332.tif 000003
【図２】
0003224332.tif 000004
【図３】
0003224332.tif 000005
【図４】
0003224332.tif 000006
【図５】
0003224332.tif 000007
【図６】
0003224332.tif 000008
【図７】
0003224332.tif 000009
【図８】
0003224332.tif 000010
【図９】
0003224332.tif 000011
【図１０】
0003224332.tif 000012
【図１１】
0003224332.tif 000013
【図１２】
0003224332.tif 000014
【図１３】
0003224332.tif 000015
【図１４】
0003224332.tif 000016